(57)【要約】【課題】ディスペンサを所定の位置にセットして容器に固定できる吐出容器を提供する。【解決手段】吐出容器（１）は、容器（１０）と、ディスペンサ（２）と、固定部材（９）とを備える。容器（１０）は、収容部（１１）と、取っ手部（１３）と、被装着部（１２）と、被係合部（１４）とを有する。ディスペンサは、被装着部（１２）に装着される装着部（３１）と、被係合部（１４）に係合する係合部（３５）とを有し、収容部（１１）からの液状物を使用者の操作に応じて吐出口（２２）から吐出する。係合部（３５）は、被係合部（１４）に係合することで、被装着部（１２）の周りにおけるディスペンサ（２）の回転を規制するように設けられている。固定部材（９）は、係合部（３５）が被係合部（１４）に係合した状態で、容器（１０）に対しディスペンサ（２）を固定することが可能に設けられている。【選択図】図１
2020128236.tif 000002
【特許請求の範囲】
【請求項１】
液状物を収容する収容部と、
使用者が把持可能な取っ手部と、
被装着部と、
被係合部と、
を有する容器と、
前記容器の前記被装着部に装着される装着部と、
前記容器の前記被係合部に係合する係合部と、
を有し、
前記容器の前記収容部からの前記液状物を使用者の操作に応じて吐出口から吐出する
ディスペンサと、
前記容器に対し前記ディスペンサを固定する固定部材と、
を備え、
前記係合部は、前記被係合部に係合することで、前記容器の前記被装着部の周りにおける前記ディスペンサの回転を規制するように設けられ、
前記固定部材は、前記係合部が前記被係合部に係合した状態で、前記容器に対し前記ディスペンサを固定することが可能に設けられている、
吐出容器。
【請求項２】
前記係合部が前記被係合部に係合した状態で、前記ディスペンサの前記吐出口が、前記容器の前記被装着部を挟んで、前記容器の前記取っ手部の反対側に位置するように設けられている、請求項１に記載の吐出容器。
【請求項３】
前記被係合部が前記取っ手部に設けられている、請求項１または２に記載の吐出容器。
【請求項４】
前記取っ手部は、前記容器の外面から前記被装着部と同じ側に突出している、請求項３に記載の吐出容器。
【請求項５】
前記ディスペンサは、
ディスペンサ本体と、
前記ディスペンサ本体とともにポンプ室を形成する可動部材と、
前記ディスペンサ本体に設けられ、使用者により操作されることで前記可動部材を押圧可能なレバーと、をさらに有し、
前記可動部材が変位することで、前記液状物を前記ポンプ室へ吸入し、または前記液状物を前記ポンプ室から吐出するように設けられている、請求項１〜４のいずれか１項に記載の吐出容器。
【請求項６】
前記係合部は、前記被係合部に係合することで、前記レバーの押圧方向における前記ディスペンサ本体の前記容器に対する変位を規制するように設けられている、請求項５に記載の吐出容器。
【請求項７】
前記係合部は、前記装着部を挟んで、前記レバーの支点の反対側に設けられている、請求項６に記載の吐出容器。
【請求項８】
前記ディスペンサ本体は凹部を有し、
前記可動部材は、前記凹部を覆い、前記凹部とともに前記ポンプ室を形成する弾性変形可能な蓋部である、請求項５〜７のいずれか１項に記載の吐出容器。
【請求項９】
前記係合部は、前記レバーの押圧方向に沿って広がる板状であり、前記被係合部は、前記レバーの押圧方向に沿って前記係合部が入り込むことが可能なスリット状である、請求項５〜８のいずれか１項に記載の吐出容器。
【請求項１０】
液状物を収容し、使用者が把持可能な取っ手部を有する容器の被装着部に装着可能な装着部と、
前記容器の被係合部に係合可能な係合部と、
を有し、
前記装着部に固定部材が設けられ、
前記容器からの前記液状物を使用者の操作に応じて吐出口から吐出するディスペンサであって、
前記係合部は、前記被係合部に係合することで、前記容器の前記被装着部の周りにおける前記ディスペンサの回転を規制するように設けられ、
前記固定部材は、前記係合部が前記被係合部に係合した状態で、前記容器に対し前記ディスペンサを固定することが可能に設けられている、
ディスペンサ。
【請求項１１】
液状物を収容する収容部と、
使用者が把持可能な取っ手部と、
前記収容部からの前記液状物を使用者の操作に応じて吐出口から吐出するディスペンサの装着部が装着可能な被装着部と、
前記ディスペンサの係合部が係合可能な被係合部と、
を有する容器であって、
前記被係合部に前記係合部が係合した状態で、固定部材により前記ディスペンサを前記容器に対し固定することが可能に設けられ、
前記被係合部は、前記係合部が係合することで、前記被装着部の周りにおける前記ディスペンサの回転を規制するように設けられている、
容器。
【請求項１２】
液状物を収容し、被装着部を備える内袋が取り外し可能に設置され、
使用者が把持可能な取っ手部と、
被係合部と、
を有する
容器ホルダと、
前記容器ホルダに設置された前記内袋の前記被装着部に装着される装着部と、
前記容器ホルダの前記被係合部に係合する係合部と、
を有し、
前記容器ホルダに設置された前記内袋からの前記液状物を使用者の操作に応じて吐出口から吐出する
ディスペンサと、
前記容器ホルダに設置された前記内袋の前記被装着部に対し前記ディスペンサを固定する固定部材と、
を備え、
前記係合部は、前記被係合部に係合することで、前記容器ホルダに設置された前記内袋の前記被装着部の周りにおける前記ディスペンサの回転を規制するように設けられ、
前記固定部材は、前記係合部が前記被係合部に係合した状態で、前記容器ホルダに設置された前記内袋の前記被装着部に対し前記ディスペンサを固定することが可能に設けられている、
ディスペンサ付き容器ホルダ。
【発明の詳細な説明】
【技術分野】
【０００１】
本発明は、吐出容器に関する。
【背景技術】
【０００２】
従来、容器とディスペンサを備えた吐出容器が知られている。例えば、特許文献１には、取っ手部を有する容器に装着されるポンプディスペンサが開示されている。このディスペンサは、トリガー部と、ピストン部と、シリンダ部と、通路部と、ノズル部と、キャップ部とを備える。トリガー部を押し下げて容器の取っ手部に近づけることにより、ピストン部を押し下げシリンダ部内に圧を加え、通路部を介して液をその先のノズル部から噴射させる。キャップ部は、ディスペンサを容器に取り付けるためのものであり、例えば螺合等により容器の口部に取り付けられる。
【先行技術文献】
【特許文献】
【０００３】
【特許文献１】特開２０１４−１５９００２号公報
【発明の概要】
【発明が解決しようとする課題】
【０００４】
しかし、特許文献１に記載された技術では、使用者が、容器の口部の周り方向におけるディスペンサの位置を自ら調整し、この位置を保持しつつ、キャップ部により、容器に対しディスペンサを固定する必要がある。また、このように容器に対しディスペンサを固定しても、ディスペンサが上記調整した位置からズレた位置で固定されてしまうおそれがある。このように、ディスペンサを所定の位置にセットして容器に固定できる吐出容器が希求されていた。そこで、本発明は、ディスペンサを所定の位置にセットして容器に固定できる吐出容器に関する。
【課題を解決するための手段】
【０００５】
上記課題を解決するために、本発明のある観点は、液状物を収容する収容部と、使用者が把持可能な取っ手部と、被装着部と、被係合部と、を有する容器と、容器の被装着部に装着される装着部と、容器の被係合部に係合する係合部と、を有し、容器の収容部からの液状物を使用者の操作に応じて吐出口から吐出するディスペンサと、容器に対しディスペンサを固定する固定部材と、を備え、係合部は、被係合部に係合することで、容器の被装着部の周りにおけるディスペンサの回転を規制するように設けられ、固定部材は、係合部が被係合部に係合した状態で、容器に対しディスペンサを固定することが可能に設けられている、吐出容器に関する。
【発明の効果】
【０００６】
以上説明したように本発明の吐出容器によれば、ディスペンサを所定の位置にセットして容器に固定することが可能である。
【図面の簡単な説明】
【０００７】
【図１】本発明の第１の実施形態に係る吐出容器の斜視図である。
【図２】同実施形態に係る吐出容器の正面図である。
【図３】同実施形態に係る吐出容器の側面図である。
【図４】同実施形態に係る吐出容器の断面図（図２のＩＶ−ＩＶ視）である。
【図５】同実施形態に係るディスペンサの断面図（図２のＩＶ−ＩＶ視）である。
【図６】同実施形態に係る吐出容器の断面図（図３のＶＩ−ＶＩ視）である。
【図７】同実施形態に係る吐出容器の断面図（図３のＶＩＩ−ＶＩＩ視）である。
【図８】本発明の第２の実施形態に係る吐出容器の斜視図である。
【図９】同実施形態に係る吐出容器の断面図である。
【発明を実施するための形態】
【０００８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【０００９】
＜第１の実施形態＞
まず、構成を説明する。図１〜７は、本実施形態の吐出容器１の構成を示す。吐出容器１は、使用者の取り出し操作に応じて吐出口２２から液状物を吐出可能な装置である。液状物は、ペースト状のものを含み、例えば、液体洗剤、柔軟剤、漂白剤、シャンプー、リンス、コンディショナー、ボディソープ、化粧液、薬剤、液体調味料等であってよい。図１〜４に示すように、吐出容器１は、容器１０、ディスペンサ２および固定部材９を有する。
【００１０】
容器１０は、液状物を収容し、ディスペンサ２に液状物を供給する。図１，３，４に示すように、容器１０は、収容部１１、被装着部１２、取っ手部１３および被係合部１４を有する。容器１０は、例えば合成樹脂を材料として各部が一体に成形されてよい。
【００１１】
収容部１１は、例えばボトル形状であり、液状物を収容可能である。被装着部１２は、収容部１１の口頸部であり、円筒状であって、外周にねじ部１２０が設けられている。被装着部１２は、収容部１１の上面１１０から上方へ突出している。図４に示すように、収容部１１および被装着部１２は、共通の軸１００を有している。以下、軸１００に沿う方向で、収容部１１に対し被装着部１２の側を上、被装着部１２に対し収容部１１の側を下とも言う。ただし、上、下という語は、容器１０における相対的な位置関係を意味しており、鉛直方向の上下を必ずしも意味しない。
【００１２】
取っ手部１３は、容器１０の外面、具体的には収容部１１の上面１１０から、上方、すなわち被装着部１２と同じ側に突出している。取っ手部１３は、板を環状または筒状に折り曲げた形状であり、第１平面部１３１、第２平面部１３２、第３平面部１３３および第４平面部１３４、ならびに、これらの平面部同士をそれぞれ接続する第１曲面部１３５、第２曲面部１３６および第３曲面部１３７を有する。第１平面部１３１と第３平面部１３３は、収容部１１の上面１１０に対して直角方向に広がっている。第２平面部１３２と第４平面部１３４は、上面１１０に対し平行に広がっている。第１平面部１３１は、容器１０の上面１１０から上方へ延びている。第４平面部１３４は、容器１０の外周面から容器１０の径方向外側へ延びている。第１曲面部１３５は第１平面部１３１と第２平面部１３２とを接続し、第２曲面部１３６は第２平面部１３２と第３平面部１３３とを接続し、第３曲面部１３７は第３平面部１３３と第４平面部１３４とを接続している。なお、取っ手部１３は、平面部を有さずに曲面部のみを有する形状であってもよいし、平面部として、内側の第１平面部１３１または上側の第２平面部１３２のみを有し、他の部分は曲面部で形成されていてもよい。
【００１３】
被係合部１４は、取っ手部１３の第１曲面部１３５に設けられた凹部であり、第１曲面部１３５を貫通している。被係合部１４は、第１曲面部１３５の板幅方向における中央にあり、取っ手部１３の周り方向に細長いスリット状である。図４，６，７に示すように、被係合部１４は、被装着部１２の周り方向（図１の矢印で示す方向２００）で互いに対向する内面１４１，１４２と、被係合部１４の下端で両面１４１，１４２に挟まれ、上方に面する内面１４３とを有する。被係合部１４の下端は、具体的には、第１曲面部１３５と第１平面部１３１との接続部に位置している。
【００１４】
ディスペンサ２は、容器１０の被装着部１２に装着され、容器１０の収容部１１からの液状物を、使用者の取り出し操作に応じて吐出可能である。ディスペンサ２は、所謂ポンプディスペンサであり、図５に示すように、吸入口２０、ポンプ室２１および吐出口２２を有する。なお、ディスペンサ２は、液状物をそのまま吐出してもよいし、液状物を霧化する機構を備え、霧状に吐出してもよい。ディスペンサ２は、ディスペンサ本体３、弾性部材４、吸入弁５、吐出弁６、付勢ユニット７およびレバー８を有する。
【００１５】
ディスペンサ本体３は、円盤部３０、装着部３１、被嵌合部３２、ノズル部３３および係合部３５を有する。図５に示すように、円盤部３０、装着部３１および被嵌合部３２は、共通の軸３６を有しており、この順に積み重なり、この順に径が小さくなる。以下、軸３６に沿う方向で、装着部３１に対し円盤部３０の側を上、円盤部３０に対し装着部３１の側を下とも言う。ただし、上、下という語は、ディスペンサ２における相対的な位置関係を意味しており、鉛直方向の上下を必ずしも意味しない。
【００１６】
ノズル部３３は、円盤部３０の外縁から突出し、円盤部３０の径方向に延びている。ノズル部３３の先端にはキャップ３３０が設置されている。キャップ３３０の先端部に吐出口２２が開口する。キャップ３３０は、例えば噴霧用のノズルを収容してよい。ノズル部３３の両側面のそれぞれから、円柱状の突起３７（図３，６参照）が突出している。突起３７は、ノズル部３３の上側にあり、ノズル部３３の軸に対して直角方向に延びている。
【００１７】
図５〜７に示すように、係合部３５は、円盤部３０の外縁のうち軸３６を挟んでノズル部３３の反対側から突出しており、円盤部３０の径方向に延びている。係合部３５は、板状であり、２つの側面３５１，３５２と、先端縁３５３と、下端縁３５４とを有する。側面３５１，３５２は、互いに平行であり、軸３６を含む平面に沿って広がっている。先端縁３５３は、係合部３５のうち円盤部３０の径方向外側における先端であり、係合部３５の側面視で直線状である。先端縁３５３は、上方から下方へ向かうにつれて徐々に軸３６に近づくように傾斜している。下端縁３５４は、係合部３５のうち下側の端であり、係合部３５の側面視で円盤部３０の径方向に延びる直線状である。先端縁３５３と下端縁３５４とがなす角度θは、鈍角であり、具体的には１１０度である。
【００１８】
装着部３１は、有底円筒状であり、円盤部３０の下面から突出している。装着部３１の下端の底部３１０に、吸入口２０が設けられている。装着部３１の外面のうち上方から、フランジ状の突起３１１が突出している。被嵌合部３２は、円筒状であり、装着部３１の底部３１０から突出している。被嵌合部３２は、吸入口２０の周りを囲んでいる。図４に示すように、被嵌合部３２に、吸入管３２０が嵌合し、接続されうる。
【００１９】
図５に示すように、ディスペンサ本体３の内部には、凹部３００、付勢ユニット収容孔３０１、吸入弁収容孔３０２および吐出通路３０３が形成されている。
【００２０】
凹部３００は、円盤部３０の内部に形成されており、円盤部３０の上面に開口する。凹部３００は、時計皿状に窪んでいる。凹部３００の底面は、例えば球面の一部を切り取った曲面状である。円盤部３０の上面には、凹部３００の開口部を囲む環状の溝３０４が設けられている。
【００２１】
付勢ユニット収容孔３０１は、円盤部３０および装着部３１の内部に形成されている。付勢ユニット収容孔３０１は、円筒状であり、軸方向一端が凹部３００の底面に開口する。この開口部は、ポンプ室２１への流入口として機能する。
【００２２】
吸入弁収容孔３０２は、装着部３１の内部に形成されており、付勢ユニット収容孔３０１の軸方向他端に接続する。吸入弁収容孔３０２は、付勢ユニット収容孔３０１よりも小径の円筒状であり、装着部３１の底部３１０により画される。装着部３１の底部３１０に形成された吸入口２０が吸入弁収容孔３０２と接続することで、吸入口２０と凹部３００とが連通している。すなわち、吸入口２０から吸入弁収容孔３０２および付勢ユニット収容孔３０１を介して凹部３００に接続する通路は、ポンプ室２１への液状物の吸入通路として機能する。
【００２３】
凹部３００、付勢ユニット収容孔３０１、吸入弁収容孔３０２および吸入口２０は、共通の軸を有し、この軸に沿って延びている。本実施形態において、この軸は、円盤部３０等の軸３６と一致している。
【００２４】
吐出通路３０３は、円盤部３０およびノズル部３３の内部に形成されており、凹部３００の底面に開口する。この開口部は、ポンプ室２１からの流出口として機能する。吐出通路３０３は、ノズル部３３の先端における吐出口２２に接続しており、ポンプ室２１からの吐出通路として機能する。
【００２５】
弾性部材４は、円盤部３０の上面に設置される。弾性部材４は、例えば合成樹脂を材料として形成されており、可撓性を有する。弾性部材４は、蓋部４０とフランジ部４１を有する。
【００２６】
蓋部４０は、弾性変形可能な膜状の部分であり、所定の弾性を有する。蓋部４０は、凹部３００の開口部を覆い、凹部３００とともにポンプ室２１を形成する。蓋部４０は、変形する前の初期状態において、凹部３００の開口部に対し上側、すなわち凹部３００の底面から離れる側に膨らむドーム状であって、例えば球面の一部を切り取った曲面状である。蓋部４０の下面の中央部から、円筒状の係止部４０１が突出している。
【００２７】
フランジ部４１は、蓋部４０を囲む板状の接続部である。フランジ部４１の下面から、蓋部４０を囲む環状の突起４１０が突出している。突起４１０が円盤部３０の溝３０４に嵌まり、フランジ部４１の下面と円盤部３０の上面とが接することにより、ポンプ室２１が画成され液密に保たれる。
【００２８】
図５に示すように、吸入弁５は、合成樹脂製のディスク弁であり、吸入弁収容孔３０２に設置される。吸入弁５は、弁体５０と、戻しばねと、基体とを一体に有する。基体は、円筒状の部分であり、吸入弁収容孔３０２の内周面に対向して配置される。弁体５０は、ディスク状の部分であり、基体の内側に配置される。戻しばねは、基体の内周に沿って延びる線状の部分であり、一端が基体に接続され、他端が弁体に接続されている。戻しばねは、基体の周方向に複数（例えば３つ）並んで設けられている。弁体５０は、吸入口２０を塞ぐように、装着部３１の底部３１０に設置される。装着部３１の内部の圧力が被嵌合部３２の内部の圧力よりも低くなり、それらの圧力差による推力が、上記戻しばねの付勢力を上回ると、弁体５０が装着部３１の底部３１０から離れ、吸入口２０が開く。装着部３１の内部の圧力が上昇し、上記圧力差による推力が、上記戻しばねの付勢力を下回ると、弁体５０が底部３１０に接し、吸入口２０が閉じる。装着部３１の内部の圧力が被嵌合部３２の内部の圧力以上のとき、吸入口２０が閉じた上記状態が保たれる。
【００２９】
図５に示すように、吐出弁６は、ボール弁であり、ボール状の弁体６０と、戻しばね６１を有する。吐出弁６は、ノズル部３３の内部に設けられた吐出弁収容孔３０６に収容される。吐出弁収容孔３０６は、吐出通路３０３とともに、吐出通路として機能する。弁体６０は、弁座３０５に着座することで、吐出通路におけるポンプ室２１と吐出口２２との間を塞ぐ。戻しばね６１は、コイルスプリングであり、ノズル部３３の先端に設けられたリテーナ３３１と弁体６０との間に押し縮められた状態で設置され、弁体６０を弁座３０５に向けて常時付勢する。吐出通路において弁座３０５よりもポンプ室２１の側の圧力が吐出口２２の側の圧力よりも高くなり、それらの圧力差による推力が、戻しばね６１の付勢力を上回ると、弁体６０が弁座３０５から離れ、吐出通路が開き、ポンプ室２１と吐出口２２とが連通する。ポンプ室２１の側の圧力が低下し、上記圧力差による推力が、戻しばね６１の付勢力を下回ると、弁体６０が着座し、吐出通路が閉じ、ポンプ室２１と吐出口２２との連通が遮断される。
【００３０】
図５に示すように、付勢ユニット７は、第１支持部材７１、第２支持部材７２およびコイルスプリング７０を有する。
【００３１】
第１支持部材７１は円筒状であり、その軸方向一端に、径方向外側に広がる第１フランジ部７１１が設けられ、軸方向他端に、径方向内側に延びる第２フランジ部７１２が設けられている。第２支持部材７２は、有底円筒状の部分７２Ａと、板状の部分７２Ｂとが結合した形状である。第２支持部材７２の軸方向一端、すなわち有底円筒状の部分の開口側の端部に、径方向外側に延びる第１フランジ部７２１が設けられ、第２支持部材７２の軸方向他端、すなわち板状の部分７２Ｂの端部に、径方向外側に延びる第２フランジ部７２２が設けられている。
【００３２】
第１支持部材７１の内周に第２支持部材７２が嵌合している。両支持部材７１，７２は、互いにスライド可能である。第１支持部材７１の第２フランジ部７１２と、第２支持部材７２の第１フランジ部７２１とが係合することで、第１支持部材７１から第２支持部材７２が抜け出ることが規制され、これにより、付勢ユニット７の軸方向寸法の最大値が規定される。両支持部材７１，７２の外周を囲むようにコイルスプリング７０が設置される。コイルスプリング７０は、第１支持部材７１の第１フランジ部７１１と第２支持部材７２の第２フランジ部７２２との間に、常時押し縮められた状態で設置される。
【００３３】
付勢ユニット７の一部は、付勢ユニット収容孔３０１に設置される。第１支持部材７１の第１フランジ部７１１は、ポンプ室２１に位置し、その内周に蓋部４０の係止部４０１が嵌合する。第２支持部材７２の第２フランジ部７２２は、付勢ユニット収容孔３０１の内部に位置し、吸入弁５に対向する。吸入弁５の内周側の空間は、第２支持部材７２の板状の部分７２Ｂを挟む両側の空間に接続しており、これら両側の空間が吸入通路の一部として機能する。
【００３４】
レバー（梃子）８は、使用者により操作されることで弾性部材４の蓋部４０を押圧可能である。図５に示すように、レバー８は、レバー本体８０と押圧部８１を有する。レバー本体８０は、上側に凸に緩やかに湾曲した板状である。レバー本体８０は、ヒンジ部８００と把持部８０１を有する。ヒンジ部８００は、レバー本体８０の長手方向における一端にあり、把持部８０１は、レバー本体８０の長手方向における他端にある。押圧部８１は、ヒンジ部８００と把持部８０１との間に、蓋部４０の上面に対向して配置されている。
【００３５】
図２，６に示すように、ヒンジ部８００は、レバー本体８０の長手方向に対して直角の板幅方向における両側にそれぞれあり、ノズル部３３を跨いで挟む。図１，６に示すように、ヒンジ部８００には、孔８０２が形成されている。孔８０２には、ノズル部３３の突起３７が回転自在に嵌合する。孔８０２と突起３７との相対回転の軸は、レバー８の支点として機能する。レバー８の支点は、装着部３１または軸３６を挟んで、取っ手部１３の反対側にある。
【００３６】
把持部８０１は、レバー８の回転方向で容器１０の取っ手部１３に対向する。レバー８の初期位置で、把持部８０１と取っ手部１３との間には所定の距離があり、把持部８０１は、取っ手部１３の上端の第２平面部１３２に対して所定の高さに位置する。上記所定の距離は、例えば使用者がある手の親指を把持部８０１の上面に置き、当該手における他の任意の指を取っ手部１３に引っ掛けて、吐出容器１を把持して掴むことが容易な距離である。把持部８０１は、レバー８の力点として機能する。把持部８０１の上面には、浅い時計皿状の窪み８０３が設けられている。窪み８０３は、把持部８０１における指の位置決めを容易にし、把持部８０１に対し指が滑ることを抑制する。
【００３７】
押圧部８１は、例えば合成樹脂を材料としてレバー本体８０と一体に形成される。押圧部８１は、レバー本体８０の長手方向に延びる複数の板部８１０を有する。レバー本体８０の板幅方向で中央側にある板部８１０の先端には、突起８１１が設けられている。図５に示すレバー８の初期位置で、突起８１１は、蓋部４０の上面における中央部に当接している。蓋部４０に対向する各板部８１０の（突起８１１を除く）先端を共通に通る包絡面は、例えば球面の一部を切り取った曲面状であり、例えば凹部３００の底面と等しい曲率を有する。
【００３８】
固定部材９は、内面にねじ部９０が形成された円筒状のキャップであり、装着部３１を囲んでいる。固定部材９は、装着部３１に対して回転自在である。図５に示すように、固定部材９の内周の上端には、内径側かつ下側に突出する係止部９１が設けられている。係止部９１が装着部３１の突起３１１に係止することで、装着部３１に対する固定部材９の下方への軸方向移動が規制される。
【００３９】
ディスペンサ２を容器１０に装着する際、使用者は、ディスペンサ２の係合部３５を容器１０の被係合部１４に係合させることで、容器１０の被装着部１２の周り方向２００におけるディスペンサ２の位置決めを行うことができる。具体的には、ディスペンサ２の装着部３１は、容器１０の被装着部１２に装着される。使用者は、装着部３１の外面と固定部材９の内面との間の隙間に容器１０の被装着部１２を挿入しつつ、容器１０に対して近づくディスペンサ２の係合部３５を容器１０の被係合部１４に挿入する。その後、使用者は、固定部材９を被装着部１２に対して回転させることで、固定部材９のねじ部９０に被装着部１２のねじ部１２０を螺合させることができる。これにより、容器１０がディスペンサ２に締結固定され、容器１０へのディスペンサ２の装着が完了する。すなわち、固定部材９は、ディスペンサ２の係合部３５が容器１０の被係合部１４に係合した状態で、容器１０に対しディスペンサ２を固定可能である。図４に示すように、装着が完了した状態で、容器１０の軸１００と、ディスペンサ２の軸３６は一致している。係合部３５が被係合部１４に係合した状態で、吐出口２２は、容器１０の被装着部１２を挟んで、取っ手部１３の反対側に位置する。
【００４０】
次に、動作を説明する。レバー８が操作されると、すなわちレバー８の把持部８０１が初期位置から押下げられると、押圧部８１がレバー８の作用点として機能し、蓋部４０を下方へ押圧する。押圧部８１は、蓋部４０を、凹部３００の底面に向かう側、すなわちポンプ室２１の容積が小さくなる側に押圧して弾性変形させる。複数の板部８１０は、１つの凸部として機能する。蓋部４０は、複数の板部８１０の先端における包絡面に倣う形状、すなわちポンプ室２１の内部に向かって凸の曲面状に変形する。蓋部４０が変形してポンプ室２１の容積が小さくなると、ポンプ室２１の内部の圧力が、外部の圧力、例えば大気圧よりも高くなる。吸入弁５が閉じ、吐出弁６が開いて、ポンプ室２１から吐出通路を通って液状物が吐出口２２から吐出される。使用者は、レバー８の操作量すなわち押下げ量を調整することで、吐出量を適宜調整可能である。
【００４１】
レバー８が円盤部３０の上面に沿う位置まで押し下げられると、それ以上のレバー８の変位が抑制される。このときのレバー８の位置が最大ストローク位置となる。なお、レバー８の変位量の上限を規制するためのストッパが別途設けられてもよい。把持部８０１が初期位置に向けて戻されると、押圧部８１が上方へ変位する。蓋部４０の弾性復元力および付勢ユニット７の付勢力により、蓋部４０が初期状態へ向けて弾性変形することで、ポンプ室２１の容積が大きくなる。ポンプ室２１の内部の圧力が、外部の圧力よりも低くなる。吐出弁６が閉じ、吸入弁５が開いて、容器１０から吸入通路を通って液状物がポンプ室２１に吸入される。
【００４２】
次に、上記各構成の利点を説明する。吐出容器１は、容器１０、ディスペンサ２および固定部材９を備える。ディスペンサ２は、装着部３１を有する。装着部３１は、容器１０の被装着部１２に装着される。ディスペンサ２は、容器１０の収容部１１からの液状物を使用者の操作に応じて吐出口２２から吐出可能である。固定部材９は、ディスペンサ２および容器１０とは別の部材であり、容器１０に対しディスペンサ２を固定することが可能に設けられている。よって、容器１０に対するディスペンサ２の位置、例えば容器１０の被装着部１２の周り方向２００（図１参照）におけるディスペンサ２の位置を調整した後、この位置を保持したまま、固定部材９により、容器１０に対しディスペンサ２を固定することができる。固定部材９は、ディスペンサ２と容器１０とを螺合により締結させる締結部材としてのコンボキャップであってよい。なお、固定部材９がディスペンサ２と容器１０とを固定する方法は、螺合に限らず、圧着または係合等であってもよい。固定部材９の係止部９１がディスペンサ２の装着部３１の突起３１１に係止することで、固定部材９とディスペンサ２とが一体のユニットとなっていてよい。なお、固定部材９と容器１０とが一体のユニットとなっていてもよい。
【００４３】
ディスペンサ２は、係合部３５を有する。係合部３５は、容器１０の被係合部１４に係合可能である。係合部３５は、被係合部１４に係合することで、容器１０の被装着部１２の周りにおけるディスペンサ２の回転を規制するように設けられている。すなわち、係合部３５は、被係合部１４とともに、ディスペンサ２と容器１０との相対回転を規制する位置決めストッパとして機能し、容器１０に対してディスペンサ２を上記回転の方向（被装着部１２の周り方向２００）に位置決めする。
【００４４】
固定部材９は、係合部３５が被係合部１４に係合した状態で、容器１０に対しディスペンサ２を固定することが可能に設けられている。すなわち、固定部材９によってディスペンサ２を容器１０に対して固定する前に、係合部３５と被係合部１４とを係合させることで、容器１０の被装着部１２の周り方向２００におけるディスペンサ２の位置決めを行うことができる。よって、ディスペンサ２を容器１０に装着する際、被装着部１２の周り方向２００におけるディスペンサ２の位置の調整が容易となる。また、係合部３５と被係合部１４とが係合した状態でディスペンサ２と容器１０との固定が可能であるため、上記調整後の位置を保持したまま、固定部材９により、容器１０に対しディスペンサ２を固定することが容易となる。言い換えると、被装着部１２の周り方向２００におけるディスペンサ２の位置を所定の正位置に簡単にセットしてディスペンサ２と容器１０とを固定できる。係合部３５は板状であり、被係合部１４は、係合部３５が入り込むことが可能なスリット状であってよい。言い換えると、被係合部１４はスリット状であり、係合部３５は、被係合部１４に入り込むことが可能な板状であってよい。なお、係合部３５は、板状に限らず、棒状等でもよい。すなわち、係合部３５は、凹部である被係合部１４に入り込むことが可能な凸部であってよい。係合部３５は、ディスペンサ本体３の外面から突出している凸部に限らず、ディスペンサ本体３の外面に対して凹む凹部でもよい。被係合部１４は、スリット状に限らず、孔等でもよい。被係合部１４は、凸部である係合部が入り込むことが可能な凹部に限らず、凹部である係合部に入り込むことが可能な凸部でもよい。また、被係合部１４は、取っ手部１３に限らず、容器１０における任意の部位に設けられていてもよい。
【００４５】
取っ手部１３は、使用者が把持可能な部分であり、把持が容易な形状を有している。よって、使用者が吐出容器１を把持しやすい。具体的には、取っ手部１３は、指掛け部であり、使用者の指を引っ掛けることができる環状または筒状であってよい。この場合、使用者の利便性を向上できる。容器１０は、取っ手部１３を有する。すなわち、取っ手部１３は、容器１０に設けられている。言い換えると、取っ手部１３は、ディスペンサ２に設けられていない。このため、ディスペンサ２の成形が容易である。特に、ディスペンサ２を小型化した場合、例えば凹部３００の径を小さくした場合、取っ手部１３がディスペンサ２にないことで、金型が複雑化せず、ディスペンサ本体３の成形が容易である。なお、取っ手部１３の形状は、環状または筒状に限らず、使用者が把持できる形状であればよく、例えば、容器１０の外面から突出している任意の突起であってもよい。また、取っ手部１３は、容器１０の外面から突出していなくてもよく、例えば容器１０を貫通する孔であってもよい。
【００４６】
係合部３５は、被係合部１４に係合することで、容器１０の取っ手部１３に対する、ディスペンサ２の吐出口２２の、容器１０の被装着部１２の周り方向２００における位置決めを行う。このように、取っ手部１３に対する吐出口２２の位置を調整することで、使用者が取っ手部１３を把持した状態で、この把持位置に対して適当な方向に液状物を吐出できるため、吐出容器１の使用感を向上できる。
【００４７】
例えば、係合部３５が被係合部１４に係合した状態で、ディスペンサ２の吐出口２２が、容器１０の被装着部１２を挟んで、容器１０の取っ手部１３の反対側に位置するように設けられていてよい。この場合、使用者が取っ手部１３を把持した状態で、この把持位置と反対側に吐出口２２があるため、使用者が液状物を取り出しやすい。使用者は、取っ手部１３を把持しつつ、例えば吐出口２２が鉛直方向下側へ相対移動するように吐出容器１を傾けることで、吐出口２２から液状物を吐出させることができる。なお、上記反対側とは、正反対側に限らず、被装着部１２（軸１００）を頂点として吐出口２２と取っ手部１３とがなす角度が９０度より大きい領域であってよい。また、係合部３５が被係合部１４に係合した状態で、吐出口２２が、被装着部１２を挟んで反対側に限らず、被装着部１２を頂点として取っ手部１３に対し９０度の位置にあるように設けられてもよい。この場合、使用者は、取っ手部１３を把持しつつ、吐出口２２を容易に自分の顔に向けることができる。このため、例えば液状物として化粧水を用いてこれを噴霧するようにした場合、自分の顔への噴霧が容易である。
【００４８】
被係合部１４は、容器１０の取っ手部１３に設けられていてよい。この場合、容器１０の他の部位に被係合部１４を設ける必要がないため、当該他の部位の形状の自由度を向上できる。上記他の部位とは、例えば収容部１１である。なお、被係合部１４は、容器１０における上記他の部位に設けられていてもよい。被係合部１４は、例えば、取っ手部１３の角部としての第１曲面部１３５に設けられていてよい。この場合、被係合部１４がより大きな角度範囲にわたって延在することができる。例えば、被係合部１４がスリット状である場合、被係合部１４は上下方向だけでなく水平方向にも開口しうる。よって、被係合部１４をより容易に係合部３５と係合させることが可能となる。ディスペンサ２において、係合部３５は、装着部３１を挟んで、吐出口２２の反対側に設けられていてよい。この場合、被係合部１４が取っ手部１３に設けられていれば、この被係合部１４に係合部３５が係合することで、吐出口２２が、被装着部１２を挟んで、取っ手部１３の反対側に位置することが容易となる。
【００４９】
取っ手部１３は、容器１０の外面から被装着部１２と同じ側に突出していてよい。言い換えると、取っ手部１３が、容器１０の外面からディスペンサ２の側に突出していてよい。この場合、被係合部１４が取っ手部１３に設けられていれば、被係合部１４がディスペンサ２に近接するため、被係合部１４に係合部３５が係合しやすい。言い換えると、被係合部１４または係合部３５の構成を簡素化または小型化することができる。
【００５０】
ディスペンサ２は、ディスペンサ本体３と、ディスペンサ本体３とともにポンプ室２１を形成する可動部材としての蓋部４０とを有してよい。ディスペンサ２は、蓋部４０が変位することで、液状物をポンプ室２１へ吸入し、または液状物をポンプ室２１から吐出するように設けられていてよい。この場合、吐出容器１は、その姿勢にかかわらず、ディスペンサ２のポンプ作用により液状物を吐出することが可能となる。なお、ディスペンサ２は、ポンプ式に限らず、例えば、吐出口２２が鉛直下方へ相対変位するように使用者が取っ手部１３を把持して吐出容器１の全体を傾けることで、液状物を吐出口２２から吐出させるものであってもよい。
【００５１】
ディスペンサ２は、レバー８を有してよい。レバー８は、ディスペンサ本体３に設けられ、使用者により操作されることで、可動部材としての蓋部４０を押圧可能であってよい。この場合、梃子の作用により、使用者による液状物の取り出し操作の力を軽減でき、取り出し操作を容易化できる。また、可動部材の初期位置への復帰を促進するための付勢ユニット７を設ける場合、付勢ユニット７の付勢力の分だけ、大きな操作力が必要になるおそれがある。これに対し、レバー８を設けることで、操作力を軽減できる。なお、ディスペンサ２は、レバー８または押圧部８１を有しなくてもよい。
【００５２】
係合部３５が被係合部１４に係合した状態で、レバー８の力点（把持部８０１）が、容器１０の被装着部１２に対し、取っ手部１３の側に位置するように設けられていてよい。言い換えると、レバー８の支点（孔８０２と突起３７）が、容器１０の被装着部１２を挟んで、取っ手部１３の反対側に位置するように設けられていてよい。この場合、上記係合により、取っ手部１３とレバー８の力点とが近接するように、容器１０とディスペンサ２とが相対的に位置決めされるため、使用者は、取っ手部１３を掴んだその手で、レバー８を操作しやすい。
【００５３】
ディスペンサ２がレバー８を有する場合、使用者がレバー８を操作すると、ディスペンサ２に力が作用し、ディスペンサ２が、容器１０に対して、レバー８の移動方向に沿う面内（例えば図４の紙面内）で装着部３１を中心とする回転変位すなわち首振り運動をするおそれがある。これに対し、係合部３５は、被係合部１４に係合することで、図４において矢印で示すレバー８の押圧方向８Ａ（言い換えると下方）における、容器１０に対するディスペンサ本体３の変位を、規制するように設けられていてよい。具体的には、係合部３５の下端縁３５４が、レバー８の押圧方向８Ａで対向する被係合部１４の内面１４３に当接する。この場合、使用者がレバー８を操作する際、レバー８の押圧方向８Ａにディスペンサ本体３が容器１０に対して変位しようとしても、この変位が上記当接によって規制される。よって、上記首振り運動が抑制される。これにより、吐出容器１の使用時、吐出容器１において吐出口２２の位置が所定の正位置からズレることが抑制されるため、狙った位置に液状物を吐出しやすい。また、レバー８の押圧時にディスペンサ２の首振り運動が抑制されるため、使用者がレバー８を操作しやすく、レバー８をしっかり押すことができるため、所望の吐出量を安定して得ることができ、吐出容器１の使用感を向上できる。
【００５４】
係合部３５は、装着部３１を挟んで、レバー８の支点（孔８０２と突起３７）の反対側に設けられていてよい。この場合、係合部３５が、装着部３１に対し、レバー８の力点（把持部８０１）と同じ側に位置する。すなわち、装着部３１を、容器１０の収容部１１からディスペンサ２への液状物の通路とすることが便宜であり、この場合、装着部３１の近傍にポンプ室２１を設けることが好ましい。よって、レバー８の作用点（押圧部８１）は、装着部３１の近傍に位置することから、レバー８の力点が、装着部３１を挟んで、レバー８の支点の反対側に位置しやすい。したがって、係合部３５が、装着部３１に対し、レバー８の力点と同じ側に位置する。これにより、係合部３５がレバー８の押圧方向８Ａと同じ方向に変位しやすい。レバー８の押圧方向８Ａは、通常、容器１０に向かう方向であるため、係合部３５が、容器１０の被係合部１４に係合しやすい。具体的には、係合部３５の下端縁３５４が、レバー８の押圧方向８Ａで対向する被係合部１４の内面１４３に向かって押し付けられる。よって、レバー８の押圧方向８Ａにおけるディスペンサ本体３の容器１０に対する変位、すなわち上記首振り運動を効果的に規制することができる。
【００５５】
また、係合部３５がレバー８の押圧方向８Ａと同じ方向に変位することで、被係合部１４の形状または容器１０へのディスペンサ２の装着方法を、単純化することが容易となる。例えば、被係合部１４をスリット状に形成すれば足りる。その場合、被係合部１４の内面１４３がストッパとして機能することで、レバー８の押圧方向８Ａにおけるディスペンサ本体３の容器１０に対する変位を規制することができる。このとき、被係合部１４の内面１４３の上方すなわち被係合部１４の上側は、開口したままでよいため、被係合部１４の形状を単純化できる。また、上記係合のために、被係合部１４の上記開口から係合部３５を容器１０の軸１００に沿って挿入すれば足りる。このため、容器１０へディスペンサ２を装着する際にディスペンサ２を容器１０に対して傾けたりする必要がない。よって、装着方法を単純化できる。なお、係合部３５は、装着部３１を挟んで、レバー８の支点の側に設けられていてもよい。この場合、レバー８の押圧方向８Ａと反対方向に係合部３５が変位しやすい。この反対方向で、係合部３５が、容器１０の被係合部１４に係合するように、被係合部１４の形状または容器１０へのディスペンサ２の装着方法等を調整してもよい。
【００５６】
ディスペンサ本体３は凹部３００を有し、ポンプ室２１を形成する可動部材は、凹部３００を覆い、凹部３００とともにポンプ室２１を形成する弾性変形可能な蓋部４０であってよい。例えば、蓋部４０は、弾性変形可能な膜状であってよい。この場合、ポンプ室２１の径を比較的大きくすることで、可動部材のストローク量を抑制しつつ、一回の取り出し操作における吐出量の増大を図ることができる。一方、ポンプ室２１の径を大きくすると、大きな操作力が必要になるおそれがある。これに対し、レバー８を設けることで、操作力を軽減し、液状物の取り出し操作を容易化できる。なお、レバー８に、蓋部４０を押圧するための押圧部８１を設けることで、蓋部４０を容易に大きく弾性変形させることが可能となり、吐出量の増大を図ることができる。また、可動部材が弾性変形可能な蓋部４０である場合、ポンプ室２１の径が大きくなることによって、レバー８の操作時にディスペンサ２に作用する力のモーメントが大きくなるおそれがある。よって、上記首振り運動が生じやすいともいえる。これに対し、係合部３５と被係合部１４を設け、両者の係合によりレバー８の押圧方向８Ａにおけるディスペンサ本体３の変位を規制することで、上記首振り運動を効果的に規制することができる。蓋部４０は、凹部３００の側と反対側に膨出するドーム状であってもよい。すなわち、ディスペンサ２のポンプ室２１は、いわゆるドーム形状ポンプであってよい。これにより、ディスペンサ２の大型化を抑制しつつ、一回の操作により取り出し可能な液状物の量をより効果的に多くすることができる。なお、ポンプ室２１の形態は、ドーム形状ポンプに限られず、弾性変形可能な蓋部４０は、凹部３００の側と反対側に膨出していなくてもよい。また、可動部材は、弾性変形可能な蓋部４０に限らず、シリンダ内を移動するピストン等であってもよい。
【００５７】
係合部３５は、レバー８の押圧方向８Ａに沿って広がる板状であり、被係合部１４は、レバー８の押圧方向８Ａに沿って係合部３５が入り込むことが可能なスリット状であってよい。この場合、板状である係合部３５の下端縁３５４が、レバー８の押圧方向８Ａで、スリット状である被係合部１４の内面１４３に当接しうる。これにより、レバー８の押圧方向８Ａにおけるディスペンサ本体３の容器１０に対する変位を規制することができる。ここで、上記当接により、係合部３５には、板の厚み方向でなく長手方向または幅方向に力が作用するため、レバー８の押圧による力を係合部３５が効率的に受けることができ、係合部３５の耐久性を向上することができる。また、容器１０の被装着部１２に対するディスペンサ２の回転方向である被装着部１２の周り方向２００において、板状である係合部３５の側面３５１，３５２が、スリット状である被係合部１４の内面１４１，１４２にそれぞれ当接しうる。側面３５１，３５２は、レバー８の押圧方向８Ａに沿って広がっている。よって、容器１０に対してディスペンサ２を周り方向２００に位置決めしつつ装着する際、レバー８の移動方向に沿う面内（例えば図４の紙面内）で、ディスペンサ２が装着部３１を中心として回転変位する等、容器１０に対するディスペンサ２の位置が多少ズレたとしても、係合部３５が被係合部１４の内面１４１，１４２と当接しやすい。よって、容器１０に対してディスペンサ２を上記周り方向２００に位置決めしつつ装着する作業中、係合部３５と被係合部１４との係合を維持しやすいため、上記作業を容易化できる。
【００５８】
スリット状の被係合部１４は、取っ手部１３の角部としての第１曲面部１３５に設けられている。よって、板状の係合部３５のうち、先端縁３５３と下端縁３５４とがなす角度θは鈍角であってよい。下端縁３５４は、係合部３５のうち下側すなわち装着部３１の側に位置する端縁である。この下端縁３５４と先端縁３５３は、板状である係合部３５の複数の端縁のうち、被係合部１４に係合部３５が入り込む際に、取っ手部１３の第１曲面部１３５に対向する２つの端部である。上記角度θが鈍角である場合、係合部３５が被係合部１４に入り込む際、先端縁３５３と下端縁３５４とにより挟まれる角部が、被係合部１４が設けられた第１曲面部１３５と干渉しにくく、被係合部１４に入り込みやすい。よって、係合部３５を被係合部１４に係合させる作業を容易化できる。なお、第１曲面部１３５に対向する係合部３５の端縁は、直線状でなくてもよく、曲線状であってもよい。
【００５９】
＜第２の実施形態＞
図８，９は、本実施形態の吐出容器１の構成を示す。図９は、図４と同様の断面図である。本実施形態は、容器１０が所謂デラミ容器である例を示す。第１の実施形態と共通する構成については、第１の実施形態と同一の符号を付して説明を省略する。
【００６０】
容器１０は、容器ホルダ１０Ａと内袋１０Ｂを有する。容器ホルダ１０Ａは、外殻収容部１１Ａ、取っ手部１３、被係合部１４およびスライド蓋部１５を有する。外殻収容部１１Ａは、第１の実施形態の収容部１１と同じくボトル形状を有しており、下端が外部に開口している。取っ手部１３は、外殻収容部１１Ａと一体に設けられている。スライド蓋部１５は、外殻収容部１１Ａの上面１１０に、外殻収容部１１Ａに対してスライド可能に設置されている。スライド蓋部１５が外殻収容部１１Ａに対してスライドすることで、外殻収容部１１Ａの上面１１０が開閉される。図８に示すように、スライド蓋部１５には、スライド蓋部１５の外縁に開口する凹部１５０が設けられている。
【００６１】
内袋１０Ｂは、柔軟性のある袋であり、液状物を収容する。内袋１０Ｂは、液状物の減少に伴って収縮可能である。内袋１０Ｂは、被装着部１２を備える。被装着部１２の外周には、ねじ部１２０よりも下方に、フランジ状の第１係止部１２１と第２係止部１２２が設けられている。
【００６２】
内袋１０Ｂは、外殻収容部１１Ａの下端から外殻収容部１１Ａの内部に挿入され、外殻収容部１１Ａに収容される。スライド蓋部１５が外殻収容部１１Ａの外径方向へスライドして外殻収容部１１Ａの上面１１０が開かれた状態で、内袋１０Ｂの被装着部１２は、外殻収容部１１Ａの上面１１０から容器ホルダ１０Ａの外部に突出する。スライド蓋部１５をスライドさせて外殻収容部１１Ａの上面１１０を閉じる際、スライド蓋部１５のうち凹部１５０を挟んで対向する部分が、被装着部１２の第１係止部１２１と第２係止部１２２との間に嵌まる。これにより、内袋１０Ｂが、外殻収容部１１Ａに対して固定され、容器ホルダ１０Ａに設置される。被装着部１２は、スライド蓋部１５の凹部１５０を貫通し、容器ホルダ１０Ａの外部に突出する。図８に示すように、凹部１５０に残る隙間１６が、内袋１０Ｂと容器ホルダ１０Ａとの間の空間を容器ホルダ１０Ａの外部に連通させることで、液状物の減少に伴う内袋１０Ｂの収縮を容易にする呼吸孔として機能する。スライド蓋部１５を逆方向にスライドさせて外殻収容部１１Ａの上面１１０を開くと、スライド蓋部１５が、被装着部１２の第１係止部１２１と第２係止部１２２との間から抜ける。これにより、内袋１０Ｂが、外殻収容部１１Ａから取り外されうる。
【００６３】
ディスペンサ２と容器ホルダ１０Ａのセットは、ディスペンサ付き容器ホルダとして機能する。ディスペンサ２の係合部３５は、容器ホルダ１０Ａの被係合部１４に係合することで、容器ホルダ１０Ａに設置された内袋１０Ｂの被装着部１２の周りにおけるディスペンサ２の回転を規制するように設けられている。これにより、第１の実施形態と同様、ディスペンサ２を容器１０に装着する際、被装着部１２の周り方向におけるディスペンサ２の位置の調整が容易となる。また、固定部材９は、係合部３５が被係合部１４に係合した状態で、容器ホルダ１０Ａに設置された内袋１０Ｂの被装着部１２に対しディスペンサ２を固定することが可能に設けられている。これにより、上記調整後の位置を保持したまま、固定部材９により、容器１０に対しディスペンサ２を固定することが容易となる。
【００６４】
このように容器１０が内袋１０Ｂを備える場合、容器１０からディスペンサ２へ液状物が供給される際に、内袋１０Ｂへの空気補給が不要であり、液状物の密封性を向上し、液状物を清潔に保つことができる。また、容器ホルダ１０Ａを使い捨てることなく、内袋１０Ｂを交換すれば液状物を補給できるため、容器１０のリサイクルが容易である。なお、ディスペンサ２の被嵌合部３２に吸入管３２０が接続されなくてもよい。
【００６５】
また、容器１０が、容器ホルダ１０Ａから取り外し可能であって交換可能な内袋１０Ｂを備え、この内袋１０Ｂが被装着部１２を備える場合、内袋１０Ｂを交換するごとに、ディスペンサ２から内袋１０Ｂが取り外されるとともに、ディスペンサ２と容器１０との装着が解除される。言い換えると、内袋１０Ｂを交換するごとに、ディスペンサ２と容器１０との装着を改めて行う必要がある。よって、上記装着の際に係合部３５と被係合部１４との係合によりディスペンサ２と容器１０との位置決めを行い、この位置を保持しつつ固定部材９によりディスペンサ２を容器１０に固定できる、という上記利点を、上記交換のたびに得ることができるため、吐出容器１の利便性を向上できる。なお、内袋１０Ｂは容器ホルダ１０Ａに取り外し可能に設置されていればよく、その設置方法はスライド蓋部１５を用いる方法に限らない。
【００６６】
以上、添付図面を参照しながら本発明の好適な実施形態について詳細に説明したが、本発明の技術的範囲はかかる例に限定されない。本発明の技術分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００６７】
上述した実施形態に関し、本発明は更に以下の吐出容器、ディスペンサ、容器、ディスペンサ付き容器ホルダ、ディスペンサ、または容器ホルダを開示する。
【００６８】
＜１＞
液状物を収容する収容部と、使用者が把持可能な取っ手部と、被装着部と、被係合部と、を有する容器と、前記容器の前記被装着部に装着される装着部と、前記容器の前記被係合部に係合する係合部と、を有し、前記容器の前記収容部からの前記液状物を使用者の操作に応じて吐出口から吐出するディスペンサと、前記容器に対し前記ディスペンサを固定する固定部材と、を備え、前記係合部は、前記被係合部に係合することで、前記容器の前記被装着部の周りにおける前記ディスペンサの回転を規制するように設けられ、前記固定部材は、前記係合部が前記被係合部に係合した状態で、前記容器に対し前記ディスペンサを固定することが可能に設けられている、吐出容器。
【００６９】
＜２＞
前記係合部が前記被係合部に係合した状態で、前記ディスペンサの前記吐出口が、前記容器の前記被装着部を挟んで、前記容器の前記取っ手部の反対側に位置するように設けられている、前記＜１＞に記載の吐出容器。
＜３＞
前記係合部は、前記装着部を挟んで、前記吐出口の反対側に設けられている、前記＜１＞または＜２＞に記載の吐出容器。
【００７０】
＜４＞
前記係合部は凸部であり、前記被係合部は、前記係合部が入り込むことが可能な凹部である、前記＜１＞〜＜３＞のいずれか１項に記載の吐出容器。
＜５＞
前記係合部は板状であり、前記被係合部は、前記係合部が入り込むことが可能なスリット状である、前記＜１＞〜＜４＞のいずれか１項に記載の吐出容器。
【００７１】
＜６＞
前記取っ手部は、前記容器の外面から前記被装着部と同じ側に突出している、前記＜１＞〜＜５＞のいずれか１項に記載の吐出容器。
＜７＞
前記被係合部が前記取っ手部に設けられている、前記＜１＞〜＜６＞のいずれか１項に記載の吐出容器。
＜８＞
前記被係合部が前記取っ手部の角部に設けられている、前記＜１＞〜＜７＞のいずれか１項に記載の吐出容器。
＜９＞
板状である前記係合部の複数の端縁のうち、スリット状である前記被係合部に前記係合部が入り込む際に前記取っ手部の角部に対向する２つの前記端縁が互いになす角度は、鈍角である、前記＜１＞〜＜８＞のいずれか１項に記載の吐出容器。
【００７２】
＜１０＞
前記ディスペンサは、ディスペンサ本体と、前記ディスペンサ本体とともにポンプ室を形成する可動部材と、前記ディスペンサ本体に設けられ、使用者により操作されることで前記可動部材を押圧可能なレバーと、をさらに有し、前記可動部材が変位することで、前記液状物を前記ポンプ室へ吸入し、または前記液状物を前記ポンプ室から吐出するように設けられている、前記＜１＞〜＜９＞のいずれか１項に記載の吐出容器。
＜１１＞
前記ディスペンサ本体は凹部を有し、前記可動部材は、前記凹部を覆い、前記凹部とともに前記ポンプ室を形成する弾性変形可能な蓋部である、前記＜１０＞に記載の吐出容器。
＜１２＞
前記係合部は、前記被係合部に係合することで、前記レバーの押圧方向における前記ディスペンサ本体の前記容器に対する変位を規制するように設けられている、前記＜１０＞または＜１１＞に記載の吐出容器。
＜１３＞
前記係合部は、前記装着部を挟んで、前記レバーの支点の反対側に設けられている、前記＜１０＞〜＜１２＞のいずれか１項に記載の吐出容器。
＜１４＞
前記係合部が前記被係合部に係合した状態で、前記レバーの力点が、前記容器の前記被装着部に対し、前記取っ手部の側に位置するように設けられている、前記＜１０＞〜＜１３＞のいずれか１項に記載の吐出容器。
＜１５＞
前記係合部は、前記レバーの押圧方向に沿って広がる板状であり、前記被係合部は、前記レバーの押圧方向に沿って前記係合部が入り込むことが可能なスリット状である、前記＜１０＞〜＜１４＞のいずれか１項に記載の吐出容器。
【００７３】
＜１６＞
液状物を収容し、使用者が把持可能な取っ手部を有する容器の被装着部に装着可能な装着部と、前記容器の被係合部に係合可能な係合部と、を有し、前記装着部に固定部材が設けられ、前記容器からの前記液状物を使用者の操作に応じて吐出口から吐出するディスペンサであって、前記係合部は、前記被係合部に係合することで、前記容器の前記被装着部の周りにおける前記ディスペンサの回転を規制するように設けられ、前記固定部材は、前記係合部が前記被係合部に係合した状態で、前記容器に対し前記ディスペンサを固定することが可能に設けられている、ディスペンサ。
【００７４】
＜１７＞
前記係合部は、前記装着部を挟んで、前記吐出口の反対側に設けられている、前記＜１６＞に記載のディスペンサ。
＜１８＞
前記係合部は、凹部である前記被係合部に入り込むことが可能な凸部である、前記＜１６＞または＜１７＞に記載のディスペンサ。
＜１９＞
前記係合部は、スリット状である前記被係合部に入り込むことが可能な板状である、前記＜１６＞〜＜１８＞のいずれか１項に記載のディスペンサ。
＜２０＞
板状である前記係合部の複数の端縁のうち、スリット状である前記被係合部に前記係合部が入り込む際に前記取っ手部の角部に対向する２つの前記端縁が互いになす角度は、鈍角である、前記＜１６＞〜＜１９＞のいずれか１項に記載のディスペンサ。
＜２１＞
ディスペンサ本体と、前記ディスペンサ本体とともにポンプ室を形成する可動部材と、前記ディスペンサ本体に設けられ、使用者により操作されることで前記可動部材を押圧可能なレバーと、をさらに有し、前記可動部材が変位することで、前記液状物を前記ポンプ室へ吸入し、または前記液状物を前記ポンプ室から吐出するように設けられている、前記＜１６＞〜＜２０＞のいずれか１項に記載のディスペンサ。
＜２２＞
前記ディスペンサ本体は凹部を有し、前記可動部材は、前記凹部を覆い、前記凹部とともに前記ポンプ室を形成する弾性変形可能な蓋部である、前記＜２１＞に記載のディスペンサ。
＜２３＞
前記係合部は、前記被係合部に係合することで、前記レバーの押圧方向における前記ディスペンサ本体の前記容器に対する変位を規制するように設けられている、前記＜２１＞または＜２２＞に記載のディスペンサ。
＜２４＞
前記係合部は、前記装着部を挟んで、前記レバーの支点の反対側に設けられている、前記＜２１＞〜＜２３＞のいずれか１項に記載のディスペンサ。
＜２５＞
前記係合部は、前記レバーの押圧方向に沿って広がる板状である、前記＜２１＞〜＜２４＞のいずれか１項に記載のディスペンサ。
【００７５】
＜２６＞
液状物を収容する収容部と、使用者が把持可能な取っ手部と、前記収容部からの前記液状物を使用者の操作に応じて吐出口から吐出するディスペンサの装着部が装着可能な被装着部と、前記ディスペンサの係合部が係合可能な被係合部と、を有する容器であって、前記被係合部に前記係合部が係合した状態で、固定部材により前記ディスペンサを前記容器に対し固定することが可能に設けられ、前記被係合部は、前記係合部が係合することで、前記被装着部の周りにおける前記ディスペンサの回転を規制するように設けられている、容器。
【００７６】
＜２７＞
前記被係合部が前記取っ手部に設けられている、前記＜２６＞に記載の容器。
＜２８＞
前記取っ手部は、前記容器の外面から前記被装着部と同じ側に突出している、前記＜２６＞または＜２７＞に記載の容器。
＜２９＞
前記被係合部が前記取っ手部の角部に設けられている、前記＜２６＞〜＜２８＞のいずれか１項に記載の容器。
＜３０＞
前記被係合部は、凸部である前記係合部が入り込むことが可能な凹部である、前記＜２６＞〜＜２９＞のいずれか１項に記載の容器。
＜３１＞
前記被係合部は、板状である前記係合部が入り込むことが可能なスリット状である、前記＜２６＞〜＜３０＞のいずれか１項に記載の容器。
【００７７】
＜３２＞
液状物を収容し、被装着部を備える内袋が取り外し可能に設置され、使用者が把持可能な取っ手部と、被係合部と、を有する容器ホルダと、前記容器ホルダに設置された前記内袋の前記被装着部に装着される装着部と、前記容器ホルダの前記被係合部に係合する係合部と、を有し、前記容器ホルダに設置された前記内袋からの前記液状物を使用者の操作に応じて吐出口から吐出するディスペンサと、前記容器ホルダに設置された前記内袋の前記被装着部に対し前記ディスペンサを固定する固定部材と、を備え、前記係合部は、前記被係合部に係合することで、前記容器ホルダに設置された前記内袋の前記被装着部の周りにおける前記ディスペンサの回転を規制するように設けられ、前記固定部材は、前記係合部が前記被係合部に係合した状態で、前記容器ホルダに設置された前記内袋の前記被装着部に対し前記ディスペンサを固定することが可能に設けられている、ディスペンサ付き容器ホルダ。
【００７８】
＜３３＞
前記係合部が前記被係合部に係合した状態で、前記ディスペンサの前記吐出口が、前記容器ホルダに設置された前記内袋の前記被装着部を挟んで、前記容器ホルダの前記取っ手部の反対側に位置するように設けられている、前記＜３２＞に記載のディスペンサ付き容器ホルダ。
＜３４＞
前記係合部は、前記装着部を挟んで、前記吐出口の反対側に設けられている、前記＜３２＞または＜３３＞に記載のディスペンサ付き容器ホルダ。
【００７９】
＜３５＞
前記係合部は凸部であり、前記被係合部は、前記係合部が入り込むことが可能な凹部である、前記＜３２＞〜＜３４＞のいずれか１項に記載のディスペンサ付き容器ホルダ。
＜３６＞
前記係合部は板状であり、前記被係合部は、前記係合部が入り込むことが可能なスリット状である、前記＜３２＞〜＜３５＞のいずれか１項に記載のディスペンサ付き容器ホルダ。
【００８０】
＜３７＞
前記取っ手部は、前記容器ホルダの外面から前記被装着部と同じ側に突出している、前記＜３２＞〜＜３６＞のいずれか１項に記載のディスペンサ付き容器ホルダ。
＜３８＞
前記被係合部が前記取っ手部に設けられている、前記＜３２＞〜＜３７＞のいずれか１項に記載のディスペンサ付き容器ホルダ。
＜３９＞
前記被係合部が前記取っ手部の角部に設けられている、前記＜３２＞〜＜３８＞のいずれか１項に記載のディスペンサ付き容器ホルダ。
＜４０＞
板状である前記係合部の複数の端縁のうち、スリット状である前記被係合部に前記係合部が入り込む際に前記取っ手部の角部に対向する２つの前記端縁が互いになす角度は、鈍角である、前記＜３２＞〜＜３９＞のいずれか１項に記載のディスペンサ付き容器ホルダ。
【００８１】
＜４１＞
前記ディスペンサは、ディスペンサ本体と、前記ディスペンサ本体とともにポンプ室を形成する可動部材と、前記ディスペンサ本体に設けられ、使用者により操作されることで前記可動部材を押圧可能なレバーと、をさらに有し、前記可動部材が変位することで、前記液状物を前記ポンプ室へ吸入し、または前記液状物を前記ポンプ室から吐出するように設けられている、前記＜３２＞〜＜４０＞のいずれか１項に記載のディスペンサ付き容器ホルダ。
＜４２＞
前記ディスペンサ本体は凹部を有し、前記可動部材は、前記凹部を覆い、前記凹部とともに前記ポンプ室を形成する弾性変形可能な蓋部である、前記＜４１＞に記載のディスペンサ付き容器ホルダ。
＜４３＞
前記係合部は、前記被係合部に係合することで、前記レバーの押圧方向における前記ディスペンサ本体の前記容器ホルダに対する変位を規制するように設けられている、前記＜４１＞または＜４２＞に記載のディスペンサ付き容器ホルダ。
＜４４＞
前記係合部は、前記装着部を挟んで、前記レバーの支点の反対側に設けられている、前記＜４１＞〜＜４３＞のいずれか１項に記載のディスペンサ付き容器ホルダ。
＜４５＞
前記係合部が前記被係合部に係合した状態で、前記レバーの力点が、前記容器ホルダの前記被装着部に対し、前記取っ手部の側に位置するように設けられている、前記＜４１＞〜＜４４＞のいずれか１項に記載のディスペンサ付き容器ホルダ。
＜４６＞
前記係合部は、前記レバーの押圧方向に沿って広がる板状であり、前記被係合部は、前記レバーの押圧方向に沿って前記係合部が入り込むことが可能なスリット状である、前記＜４１＞〜＜４５＞のいずれか１項に記載のディスペンサ付き容器ホルダ。
【００８２】
＜４７＞
液状物を収容し、被装着部を備える内袋が取り外し可能に設置され、使用者が把持可能な取っ手部を有する容器ホルダに設置された前記内袋の前記被装着部に装着可能な装着部と、前記容器ホルダの被係合部に係合可能な係合部と、を有し、前記装着部に固定部材が設けられ、前記容器ホルダに設置された前記内袋からの前記液状物を使用者の操作に応じて吐出口から吐出するディスペンサであって、前記係合部は、前記被係合部に係合することで、前記容器ホルダに設置された前記内袋の前記被装着部の周りにおける前記ディスペンサの回転を規制するように設けられ、前記固定部材は、前記係合部が前記被係合部に係合した状態で、前記容器ホルダに設置された前記内袋の前記被装着部に対し前記ディスペンサを固定することが可能に設けられている、ディスペンサ。
【００８３】
＜４８＞
前記係合部は、前記装着部を挟んで、前記吐出口の反対側に設けられている、前記＜４７＞に記載のディスペンサ。
＜４９＞
前記係合部は、凹部である前記被係合部に入り込むことが可能な凸部である、前記＜４７＞または＜４８＞に記載のディスペンサ。
＜５０＞
前記係合部は、スリット状である前記被係合部に入り込むことが可能な板状である、前記＜４７＞〜＜４９＞のいずれか１項に記載のディスペンサ。
＜５１＞
板状である前記係合部の複数の端縁のうち、スリット状である前記被係合部に前記係合部が入り込む際に前記取っ手部の角部に対向する２つの前記端縁が互いになす角度は、鈍角である、前記＜４７＞〜＜５０＞のいずれか１項に記載のディスペンサ。
＜５２＞
ディスペンサ本体と、前記ディスペンサ本体とともにポンプ室を形成する可動部材と、前記ディスペンサ本体に設けられ、使用者により操作されることで前記可動部材を押圧可能なレバーと、をさらに有し、前記可動部材が変位することで、前記液状物を前記ポンプ室へ吸入し、または前記液状物を前記ポンプ室から吐出するように設けられている、前記＜４７＞〜＜５１＞のいずれか１項に記載のディスペンサ。
＜５３＞
前記ディスペンサ本体は凹部を有し、前記可動部材は、前記凹部を覆い、前記凹部とともに前記ポンプ室を形成する弾性変形可能な蓋部である、前記＜５２＞に記載のディスペンサ。
＜５４＞
前記係合部は、前記被係合部に係合することで、前記レバーの押圧方向における前記ディスペンサ本体の前記容器ホルダに対する変位を規制するように設けられている、前記＜５２＞または＜５３＞に記載のディスペンサ。
＜５５＞
前記係合部は、前記装着部を挟んで、前記レバーの支点の反対側に設けられている、前記＜５２＞〜＜５４＞のいずれか１項に記載のディスペンサ。
＜５６＞
前記係合部は、前記レバーの押圧方向に沿って広がる板状である、前記＜５２＞〜＜５５＞のいずれか１項に記載のディスペンサ。
【００８４】
＜５７＞
液状物を収容し、被装着部を備える内袋が取り外し可能に設置され、使用者が把持可能な取っ手部と、前記内袋からの前記液状物を使用者の操作に応じて吐出口から吐出するディスペンサの係合部が係合可能な被係合部と、を有する容器ホルダであって、前記被係合部に前記係合部が係合した状態で、前記容器ホルダに設置された前記内袋の前記被装着部に対し前記ディスペンサを固定部材により固定することが可能に設けられ、前記被係合部は、前記係合部が係合することで、前記容器ホルダに設置された前記内袋の前記被装着部の周りにおける前記ディスペンサの回転を規制するように設けられている、容器ホルダ。
【００８５】
＜５８＞
前記被係合部が前記取っ手部に設けられている、前記＜５７＞に記載の容器ホルダ。
＜５９＞
前記取っ手部は、前記容器ホルダの外面から前記被装着部と同じ側に突出している、前記＜５７＞または＜５８＞に記載の容器ホルダ。
＜６０＞
前記被係合部が前記取っ手部の角部に設けられている、前記＜５７＞〜＜５９＞のいずれか１項に記載の容器ホルダ。
＜６１＞
前記被係合部は、凸部である前記係合部が入り込むことが可能な凹部である、前記＜５７＞〜＜６０＞のいずれか１項に記載の容器ホルダ。
＜６２＞
前記被係合部は、板状である前記係合部が入り込むことが可能なスリット状である、前記＜５７＞〜＜６１＞のいずれか１項に記載の容器ホルダ。
【符号の説明】
【００８６】
１    吐出容器
２    ディスペンサ
２１  ポンプ室
２２  吐出口
３    ディスペンサ本体
３１  装着部
３５  係合部
３７  突起（支点）
４０  蓋部（可動部材）
８    レバー
９    固定部材
１０  容器
１０Ａ  容器ホルダ
１０Ｂ  内袋
１１  収容部
１２  被装着部
１３  取っ手部
１４  被係合部
【図１】
2020128236.tif 000003
【図２】
2020128236.tif 000004
【図３】
2020128236.tif 000005
【図４】
2020128236.tif 000006
【図５】
2020128236.tif 000007
【図６】
2020128236.tif 000008
【図７】
2020128236.tif 000009
【図８】
2020128236.tif 000010
【図９】
2020128236.tif 000011